【手続補正書】
【提出日】平成22年7月5日(2010.7.5)
【手続補正１】
【補正対象書類名】特許請求の範囲
【補正対象項目名】全文
【補正方法】変更
【補正の内容】
【特許請求の範囲】
【請求項１】
モジュール式コンポーネントの選択可能な置換によって、美的外観、動作的機能又はこれらの両方をカスタマイズ可能なモジュール式多機能通信装置であって、
ディスプレイと、ユーザの観察のために前記ディスプレイ上に提示される情報を配信する信号をユーザの操作が無くても少なくとも部分的に提供する前記ディスプレイに関連するディスプレイモジュール回路とを含む携帯可能な情報配信モジュールであり、外周と前記ディスプレイモジュール回路が応答する信号を伝える導電体とを有する携帯可能な情報配信モジュールと、
ユーザの生成したコマンド信号であって、前記携帯可能な情報配信モジュールが当該コマンド信号に応答してユーザが確定した情報を送信するところの前記コマンド信号に応答して動作可能な入力デバイスを含む情報入力モジュールであり、当該情報入力モジュールは対向する複数の主面を有する筺体を含み、当該複数の主面のうち少なくとも一つは前記携帯可能な情報配信モジュールを電気的な接続及び機械的な接続から解放可能に装着する寸法の開口を含み、当該開口は、前記情報配信モジュールが当該情報入力モジュールの前記開口内に配置された場合に、前記携帯可能な情報配信モジュールの前記外周を収容する内側の境界によって規定される情報入力モジュールと、
前記情報入力モジュールと前記携帯可能な情報配信モジュールに関連する結合部材であって、前記携帯可能な情報配信モジュールが前記開口に位置したとき、前記携帯可能な情報配信モジュールが前記情報入力モジュールに固定される結合条件を固定力に応じて帯びるように、互いに協働するように構成される結合部材と
を有するモジュール式多機能通信装置。
【請求項２】
情報入力モジュールと結合して、単一の携帯用のモジュール式多機能通信装置を形成する携帯可能な情報配信モジュールであって、
少なくとも部分的にはユーザによる操作がなくてもユーザに情報を配信する信号を提供する電子回路を含む本体であり、概ね平坦な対向する複数の主面と、前記情報入力モジュールの開口に配置する寸法に構成された外周とを有する本体と、
前記複数の主面の一つによって支持され、前記電子回路と通信し、前記情報の少なくとも幾つかをユーザに表示するディスプレイと、
前記本体の一部に沿って配置されると共に、前記携帯可能な情報配信モジュールが前記情報入力モジュールの前記開口に配置されたとき、前記情報入力モジュールの接続部材とかみ合って、前記情報入力モジュールに対して相対的に配置された前記携帯可能な情報配信モジュールを保持するように構成されたコンセントと
を有する携帯可能な情報配信モジュール。
【請求項３】
前記本体は、赤外線通信リンクを確立するのに貢献する通信信号デバイスの位置の構成が異なる複数の情報入力モジュールのそれぞれと結合できるものであり、
前記通信信号デバイスは、第１の赤外線通信リンクを確立するのに貢献する第１の信号通信デバイスと、第２の冗長的な赤外線通信リンクを確立するのに貢献する第２の信号通信デバイスとを有し、
前記情報入力モジュールと前記携帯可能な情報配信モジュールとを結合した場合に、通信信号デバイスの構成場所が異なっている前記複数の情報入力モジュールのいずれとの間でも、互換性のある赤外線通信リンクを確立できるように、前記第１及び第２の信号通信デバイスは、前記本体の異なる場所に配置される
請求項２記載の携帯可能な情報配信モジュール。
【請求項４】
前記外周の一部分に沿って配置され、前記電子回路に接続された導電体を含み、前記情報入力モジュールの前記開口に前記携帯可能な情報配信モジュールが配置された場合に、前記導電体は前記情報入力モジュールと前記携帯可能な情報配信モジュールの間に電気的接続を提供する
請求項２記載の携帯可能な情報配信モジュール。
【請求項５】
前記導電体は、前記携帯可能な情報配信モジュールと前記情報入力モジュールの間で電気信号の通信が容易である
請求項４記載の携帯可能な情報配信モジュール。
【請求項６】
前記導電体は、前記携帯可能な情報配信モジュールと前記情報入力モジュールの間で電力の送信が容易である
請求項４記載の携帯可能な情報配信モジュール。
【請求項７】
前記導電体は、前記情報入力モジュールから前記携帯可能な情報配信モジュールへの電力の配信を容易である
請求項６記載の携帯可能な情報配信モジュール。
【請求項８】
前記導電体は前記コンタクトに沿って配置され、前記接続部材に電気的に接触し、前記携帯可能な情報配信モジュールが前記開口に配置された場合に、前記情報入力モジュールと前記携帯可能な情報配信モジュールの間に電気的接続を提供する
請求項４記載の携帯可能な情報配信モジュール。
【請求項９】
前記携帯可能な情報配信モジュールは、閾距離を超えている前記携帯可能な情報配信モジュールとの間の距離に応じて指示を生成する距離指示デバイスと通信する
請求項２記載の携帯可能な情報配信モジュール。
【請求項１０】
前記距離指示デバイスは、前記携帯可能な情報配信モジュールの前記電子回路から送信された信号に応じて前記指示を生成する
請求項９記載の携帯可能な情報配信モジュール。
【請求項１１】
外周を有し、ディスプレイを含み、当該ディスプレイと通信して情報をユーザに提示する配信モジュール回路を含む携帯可能な情報配信モジュールに結合して、単一のモジュール式多機能通信装置を形成する情報入力モジュールであって、
前記情報入力モジュールと前記携帯可能な情報配信モジュールの間の情報通信が容易な入力モジュール回路を含む筺体であり、対向する複数の主面のうちの少なくとも一つが、前記情報配信モジュールを装着する寸法の開口を含む複数の主面を含み、前記開口が、前記情報配信モジュールが当該開口内に配置された場合に、前記携帯可能な情報配信モジュールの前記外周を収容する内側の境界によって規定される、筺体と、
前記携帯可能な情報配信モジュールのコネクタと結合するように構成された接合部材であり、前記携帯可能な情報配信モジュールが前記情報入力モジュールの前記開口に配置された場合に、前記携帯可能な情報配信モジュールを保持する接続部材と、
前記筺体によって支持され、前記入力モジュール回路と通信する入力デバイスであり、当該入力デバイスは、前記携帯可能な情報配信モジュールが前記開口に配置された場合に、前記携帯可能な情報配信モジュールに送信されるユーザの生成したコマンド信号を発生することができ、前記ユーザの生成したコマンド信号は、信号に応答した前記配信モジュール回路がユーザの観察のために前記ディスプレイ上に提示される情報を生成する信号を含む入力デバイスと
を有する情報入力モジュール。
【請求項１２】
前記接続部材は、前記携帯可能な情報配信モジュールが前記情報入力モジュールの前記開口に配置された場合に、前記情報入力モジュールと前記携帯可能な情報配信モジュールの間を電気的に接続する導電性部材を含む
請求項１１記載の情報入力モジュール。
【請求項１３】
前記導電性部材は、前記携帯可能な情報配信モジュールが前記情報入力モジュールの前記開口に配置された場合に、前記情報入力モジュールと前記携帯可能な情報配信モジュールの間で電気信号の通信が容易である
請求項１２記載の情報入力モジュール。
【請求項１４】
前記導電性部材は、前記携帯可能な情報配信モジュールが前記情報入力モジュールの前記開口に配置された場合に、前記情報入力モジュールと前記携帯可能な情報配信モジュールの間で電力の送信が容易である
請求項１２記載の情報入力モジュール。
【請求項１５】
前記導電性部材は、前記携帯可能な情報配信モジュールが前記情報入力モジュールの前記開口に配置された場合に、前記情報入力モジュールから前記携帯可能な情報配信モジュールへの電力の配信が容易である
請求項１４記載の情報入力モジュール。
【請求項１６】
前記情報入力モジュールはゲームモジュールに対応し、前記入力デバイスは前記ユーザ起因のコマンド信号を生成するゲームコントロールアクチュエータを含む
請求項１１記載の情報入力モジュール。